(57)【要約】【課題】  熟練者でなくても、誤差を生じることなく正確な勾配の墨出し作業が連続してできる建築用勾配定規を提供することを目的とする。【解決手段】  Ｌ字形をなして必要目盛の付された平板の長枝と短枝の長さ方向に対しスリットを穿設し、上記平板の長枝と短枝とを跨ぐように架設部材を載置させると共に、該架設部材には上記平板の長枝と短枝に穿設したスリットと交叉可能となるようスリットを穿設し、且つ夫々れの重合するスリット間に対し蝶ネジを挿通させ、該蝶ネジを介し架設部材を平板の長枝と短枝との斜線上で移動させながら両者の特定目盛位置で係止させ、該係止状態の架設部材と平板の長枝と短枝間で形成される傾斜角を使用して屋根垂木や隅木或いは階段の勾配などの墨出し作業を行うことを特徴とする。【選択図】      図１
0003112566.tif 000002
【実用新案登録請求の範囲】
【請求項１】
Ｌ字形をなして必要目盛の付された平板の長枝と短枝の長さ方向に対しスリットを穿設し、上記平板の長枝と短枝とを跨ぐように架設部材を載置させると共に、該架設部材には上記平板の長枝と短枝に穿設したスリットと交叉可能となるようスリットを穿設し、且つ夫々れの重合するスリット間に対し蝶ネジを挿通させ、該蝶ネジを介し架設部材を平板の長枝と短枝との斜線上で移動させながら両者の特定目盛位置で係止させ、該係止状態の架設部材と平板の長枝と短枝間で形成される傾斜角を使用して屋根垂木や隅木或いは階段の勾配などの墨出し作業を行うことを特徴とする建築用勾配定規。
【請求項２】
平板の長枝の長さ寸法は凡そ６０ｃｍ〜７０ｃｍ程度、短枝の長さ寸法は凡そ３０ｃｍ〜４０ｃｍ程度、架設部材の長さ寸法は凡そ８０ｃｍ〜９０ｃｍ程度であることを特徴とする請求項１記載の建築用勾配定規。
【請求項３】
平板表面の長枝及び短枝の外側辺には尺、寸、分などの目盛寸法が表記されていることを特徴とする請求項１又は２記載の建築用勾配定規。
【請求項４】
平板裏面の長枝及び短枝の内側辺と外側辺には正方形の対角寸法、唐尺、円周尺などの目盛寸法が表記されていることを特徴とする請求項１，２又は３記載の建築用勾配定規。
【考案の詳細な説明】
【技術分野】
【０００１】
本考案は、建築現場に於ける屋根垂木や隅木、或いは階段の勾配などの墨出し作業を行うための建築用勾配定規に関する。
【背景技術】
【０００２】
従来、木造建築の作業に於いて屋根垂木や隅木、或いは階段などの勾配の墨出しや計り出し作業のための道具として、専らＬ字形をなした金属製の定規（差し金）が使われている。
また従来の曲尺の他に勾配定規として、下記に示す実開平２−６２０２１号や特開２０００−２６５６６９号などがある。
【特許文献１】実開平２−６２０２１号
【特許文献１】特開２０００−２６５６６９号
【考案の開示】
【考案が解決しようとする課題】
【０００３】
ところで、従来建築現場では垂木や隅木、また階段などの傾斜角を有する勾配の墨出し作業をするさい、差し金を単独で使用したり、また差し金と別の物差しを組合わせたりして適宜作業を行っているが、これらの作業は１箇所ずつ手作業で行う場合が多く、このため連続した場合の墨出し作業では手元がずれて寸法を誤ったり、誤差を生じたりして作業性が悪かった。また熟練者でなければ正確な墨出しの作業ができないなどの問題もあった。
本考案は上記問題点を解決して、誤差を生じることなく正確な勾配の墨出し作業が連続してできる建築用勾配定規を提供することを目的とするものである。
【課題を解決するための手段】
【０００４】
本考案はＬ字形をなして必要目盛の付された平板の長枝と短枝の長さ方向に対しスリットを穿設し、上記平板の長枝と短枝とを跨ぐように架設部材を載置させると共に、該架設部材には上記平板の長枝と短枝に穿設したスリットと交叉可能となるようスリットを穿設し、且つ夫々れの重合するスリット間に対し蝶ネジを挿通させ、該蝶ネジを介し架設部材を平板の長枝と短枝との斜線上で移動させながら両者の特定目盛位置で係止させ、該係止状態の架設部材と平板の長枝と短枝間で形成される傾斜角を使用して屋根垂木や隅木或いは階段の勾配などの墨出し作業を行うことを特徴とする。
【０００５】
このさい、平板の長枝の長さ寸法は凡そ６０ｃｍ〜７０ｃｍ程度、短枝の長さ寸法は凡そ３０ｃｍ〜４０ｃｍ程度、架設部材の長さ寸法は凡そ８０ｃｍ〜９０ｃｍ程度であって、平板表面の長枝及び短枝の外側辺には尺、寸、分などの目盛寸法が表記されたり、また平板裏面の長枝及び短枝の内側辺と外側辺には正方形の対角寸法、唐尺、円周尺などの目盛寸法が表記されていたりするのである。
【考案の効果】
【０００６】
本考案は以上の通り構成するものであって、Ｌ字形をなした平板の長枝と短枝と、該平板の長枝と短枝とを跨ぐように架設部材を載置させ、且つ蝶ネジを介して上記架設部材を平板の長枝と短枝との斜線上で移動させながら両者の特定目盛位置で係止させて屋根の垂木や隅木或いは階段の勾配等の墨出しや計り出しを行うことにより、従来のものと比べ屋根垂木や隅木或いは階段の勾配などの墨出し作業がより精度が高く行うことが可能となった。
【０００７】
また、本考案品の使用に於いて仮に熟練者でなくても連続した墨付けや勾配の墨出し作業が簡便且つ迅速にでき、さらに平板表面の長枝及び短枝の外側辺に尺、寸、分などの目盛寸法や、或いは平板裏面の長枝及び短枝の内側辺と外側辺に正方形の対角寸法、唐尺、円周尺などの目盛寸法を表記すことで、従来使用されている差し金のもの以上に作業の向上性も図ることができるものとなる。
【考案を実施するための最良の形態】
【０００８】
本考案の実施の形態について、以下図面を参照して説明する。
図１は本考案に係る建築用勾配定規の斜視図であって１は建築用勾配定規を示し、２はＬ字形をなした平板、２ａは平板１に於ける長枝、２ｂは同平板２に於ける短枝である。図１に示す如く平板２の長枝２ａの長さ寸法Ｌ１は凡そ６０ｃｍ〜７０ｃｍ程度、短枝の長さ寸法Ｌ２は凡そ３０ｃｍ〜４０ｃｍ程度となされ、夫々れの長さ方向に対しスリットＳ１，Ｓ２が設けてある。３は架設部材であり、その長さ寸法Ｌ３は凡そ８０ｃｍ〜９０ｃｍ程度となし、前記長枝２ａ、短枝２ｂと同様に長さ方向に対しスリットＳ３を設けて、長枝２ａと短枝２ｂの斜線上となる位置に載置させて蝶ネジＮ１，Ｎ２を介して係止される。Ｋ１，Ｋ２は架設部材３の底面に設けられる当接部材であって、墨出し作業のさい垂木や隅木などの側辺を当接させるためのものである。
なお、平板２及び架設部材３各種の素材で作製できるが、ステンレスなどの金属製のものを使用することが望ましい。
【０００９】
図２は本考案に係る建築用勾配定規１の表裏面を示した図であって、Ａは平板２に於ける表目を示し、Ｂはその裏目を示したもので、長枝２ａ及び短枝２ｂの各辺には夫々れ建築作業で一般的に使用される必要目盛が付されるのであり、例えば、図２Ａに示す如く長枝２ａ及び短枝２ｂの外側辺には尺、寸、分など目盛寸法ｍ１が表記され、また図２Ｂに示す如く長枝２ａの外側辺には対角寸法ｍ２、長枝２ａの内側辺には唐尺ｍ３、短枝２ｂの内側には円周尺ｍ４などの目盛が表記される。
【００１０】
図３は本考案に係る建築用勾配定規１の使用例である。屋根建材に使用する垂木Ｔ１の墨出し作業をするさい、例えば５寸勾配（長枝２ａが１０に対し、短枝２ｂが５の割合）の場合、建築用勾配定規１の表目を使用して長枝２ａの１０寸目盛の位置と、短枝２ｂの５寸目盛の特定位置に架設部材３の側辺を合わせて蝶ネジＮ１，Ｎ２で夫々れ係止させたのち、垂木Ｔ１の側辺ｈ１と架設部材３の側辺とを当接させる。Ｒ１，Ｒ２，Ｒ３は必要となる墨付けを示す。図示例は垂木Ｔ１の長さ寸法測定をＲ１の墨付け点で連続させながら行う状態を示す。
【００１１】
図４は本考案に係る建築用勾配定規１の別の使用例である。屋根建材に使用する隅木Ｔ２の墨出し作業をするさい、例えば４寸勾配（長枝２ａが１０に対し、短枝２ｂが４の割合）の場合、建築用勾配定規１の裏目を使用して長枝２ａの１０寸目盛の位置と、短枝２ｂの４寸目盛の特定位置へ上記同様架設部材３の側辺を合わせて蝶ネジＮ１，Ｎ２で夫々れ係止させたのち、隅木Ｔ２の側辺ｈ２と架設部材３の側辺とを当接させる。Ｒ１’，Ｒ２’，Ｒ３’は必要となる墨付けを示す。図示例は隅木Ｔ２の長さ寸法測定をＲ１’の墨付け点で連続させながら行う状態を示す。
【００１２】
上記例は垂木や隅木の長さ寸法の計り方を例に示したものであるが、階段の割付勾配の墨出し作業その他にも使用するのであり、加工組立場は勿論のこと、建築現場で簡便な使用を可能にして作業効率の向上に寄与すること大ならしめるものである。なお、上記平板２の外側厚み面に対しても同様の目盛を付けておくと、上記の作業性や正確性の向上に寄与するものとなる。
【図面の簡単な説明】
【００１３】
【図１】本考案に係る建築用勾配定規の斜視図である。
【図２】本考案に係る建築用勾配定規の表裏面を示した図である。
【図３】本考案に係る建築用勾配定規の使用例である。
【図４】本考案に係る建築用勾配定規の別の使用例である。
【符号の説明】
【００１４】
１      建築用勾配定規
２      平板
２ａ    長枝
２ｂ    短枝
３      架設部材
Ｋ１，Ｋ２  当接部材
Ｎ１，Ｎ２  蝶ネジ
Ｓ１，Ｓ２，Ｓ３  スリット
Ｔ１    垂木
Ｔ２    隅木
【図１】
0003112566.tif 000003
【図２】
0003112566.tif 000004
【図３】
0003112566.tif 000005
【図４】
0003112566.tif 000006